(57)【要約】【課題】装置内の温度上昇を抑制することができる光走査装置及び画像形成装置を提供する。【解決手段】光を発生させる光源部４００と、光源部４００が発生させた光を感光体１０などの被照射体表面に対して主走査方向に偏向走査するポリゴンスキャナ５０などの偏向走査手段と、偏向走査手段によって偏向走査された光の被照射体までの光路上に設けられるレンズとを収納する光学ハウジング１３１などの筐体を備え、偏向手段を筐体に固定するためのネジ１５１を止める筐体の外周面から突出させた複数のボス部７１１ａ〜７１１ｄで偏向手段の熱を装置外部へ放出する光走査装置４において、各ボス部７１１ａ〜７１１ｄにリブ７１２を設けた。【選択図】図９
2014178377.tif 000002
【特許請求の範囲】
【請求項１】
光を発生させる光源部と、該光源部が発生させた光を被照射体表面に対して主走査方向に偏向走査する偏向走査手段と、該偏向走査手段によって偏向走査された光の被照射体までの光路上に設けられるレンズとを収納する筐体を備え、
前記偏向手段を前記筐体に固定するためのネジを止める前記筐体の外周面から突出させた複数のボス部で前記偏向手段の熱を装置外部へ放出する光走査装置において、
各ボス部にリブを設けたことを特徴とする光走査装置。
【請求項２】
請求項１に記載の光走査装置において、
各ボス部のリブは、各ボス部に流れる空気の流れ方向に沿って延びるように形成したことを特徴とする光走査装置。
【請求項３】
請求項２に記載の光走査装置において、
前記複数のリブのうち、空気の流れ方向上流側に配置されたボス部と、空気の流れ方向下流側に配置されたボス部とを前記リブで繋いで、流路を形成したことを特徴とする光走査装置。
【請求項４】
請求項３に記載の光走査装置において、
前記リブの前記筐体外周面からの高さを、ボス部の前記筐体外周面からの高さと同じにしたことを特徴とする光走査装置。
【請求項５】
請求項１乃至４いずれかに記載の光走査装置において、
前記筐体の前記偏向走査手段と対向する箇所に貫通孔を設けたことを特徴とする光走査装置。
【請求項６】
請求項５に記載の光走査装置において、
前記偏向手段は、回転多面鏡と、該回転多面鏡を駆動する駆動源と、前記駆動源を制御する制御基板とを備えており、
前記偏向手段の制御基板を、前記貫通孔から露出させたことを特徴とする光走査装置。
【請求項７】
請求項１乃至６いずれかに記載の光走査装置において、
前記筐体を、載置面に載置したとき、前記複数のボス部が前記載置面に接触して装置本体を支えることを特徴とする光走査装置。
【請求項８】
請求項１乃至７いずれかに記載の光走査装置において、
前記筐体は、少なくとも前記光源部および前記偏向走査手段とを収納する第１筐体と、その他の光学部品および前記第１筐体を収納する第２筐体とを有し、
前記第１筐体に複数のボス部および前記リブが形成されており、
前記第２筐体に前記複数のボス部および前記リブを露出させるための貫通孔を設けるとともに、
前記第２筐体の外周面に前記貫通孔に接続し、前記複数のボス部に向かって流れる空気を案内する凹部を設けたことを特徴とする光走査装置。
【請求項９】
請求項８に記載の光走査装置において、
第１筐体と第２筐体との隙間をシールするシール部材を備えたことを特徴とする光走査装置。
【請求項１０】
画像情報に応じた走査光で光走査装置により感光体を走査して該感光体上に潜像を形成し、該潜像を現像することにより得た画像を最終的に記録材上に転移させて該記録材上に画像を形成する画像形成装置において、
上記光走査装置として、請求項１乃至９いずれかに記載の光走査装置を用いたことを特徴とする画像形成装置。
【請求項１１】
請求項１０に記載の画像形成装置において、
前記光走査装置の筐体には、複数のボス部および前記リブが形成された箇所に接続し、前記複数のボス部に向かって流れる空気を案内する凹部を有し、
前記凹部の直下に前記光走査装置と、該光走査装置の下方に配置される装置とを仕切る仕切り板を配置したことを特徴とする光走査装置。
【請求項１２】
請求項１０または１１に記載の画像形成装置において、
前記複数のボス部と、前記ボス部とは別の画像形成装置内部の冷却対象とに空気を送風する送風手段を備えたことを特徴とする光走査装置。
【発明の詳細な説明】
【技術分野】
【０００１】
本発明は、光走査装置および画像形成装置に関するものである。
【背景技術】
【０００２】
複写機、プリンタ、ファクシミリ等の画像形成装置の中には、潜像担持体上に画像情報に応じた書込光を偏向走査することにより照射して潜像担持体上に潜像を形成し、この潜像を現像して画像を得るものが知られている。書込光を偏向走査する光走査装置は、一般に、光源部、光源部からの書込光を偏向走査する回転多面鏡たるポリゴンミラーを備えた偏向走査手段たるポリゴンスキャナを備えている。また、ポリゴンスキャナによって偏向走査された書込光を潜像担持体表面に結像するための結像レンズ等の光学系の部品なども備えている。そして、これらの構成部品は、ハウジングに収納され、結像レンズなどの光学系の部品にホコリやゴミが付着しないように、ハウジングをカバー部材などで覆って密閉している。
【０００３】
上記ポリゴンスキャナは、ポリゴンミラーとポリゴンミラーを回転駆動させるポリゴンモータとポリゴンモータの駆動を制御するための電子制御部品を搭載した制御基板とで構成されている。
【０００４】
書込光を偏向する際、このポリゴンモータは高速回転するため、ポリゴンモータの軸受部が発熱する。また、ポリゴンモータの駆動時は、制御基板上の電子制御部品も発熱する。光走査装置は、カバー部材で密閉されているため、これらポリゴンモータの発熱部（軸受部および電子制御部品）で発生した熱は、光走査装置内部に篭ってしまい、内部が高温になってしまう。光走査装置内が高温となると、結像レンズなどの光学系の部品が熱変形してしまうおそれがある。光学系の部品が熱変形すると、潜像担持体表面に書込光を結像できなくなるおそれがある。また、カラー画像形成装置の場合は、各潜像担持体表面への照射位置がずれて、色ずれが生じてしまう。
【０００５】
特許文献１には、ポリゴンスキャナをハウジングに固定するためのネジがかみ合う複数のボス部を、ハウジングの外周面から突出させ、これらボス部によりポリゴンスキャナの熱を放熱する光走査装置が記載されている。各ボス部は、円筒形状をしており、その内周面にネジ溝が形成されている形状となっている。ポリゴンスキャナの熱は、一般的に熱伝導性の高い金属からなるネジに伝導し、ネジに伝導した熱は、ハウジングの外周面から突出させたボス部から外部に放熱される。これにより、装置内の温度上昇を抑制することができ、光学部品の熱変形を抑えることができる。
【発明の概要】
【発明が解決しようとする課題】
【０００６】
しかし、上記特許文献１に記載の光走査装置においては、十分に、装置内の温度上昇を抑制することができなかった。このことについて、本出願人は、鋭意研究した結果、次のことを見出した。すなわち、上述したように、各ボス部は、円筒形状であり、外部の空気と接触する表面積が十分ではなく、ボス部から効率的に熱を放熱することができない。その結果、装置内の温度上昇を十分に抑制することができなかったことを見出したのである。
【０００７】
本発明は以上の課題に鑑みなされたものであり、その目的は、装置内の温度上昇を抑制することができる光走査装置及び画像形成装置を提供することである。
【課題を解決するための手段】
【０００８】
上記目的を達成するために、請求項１の発明は、光を発生させる光源部と、該光源部が発生させた光を被照射体表面に対して主走査方向に偏向走査する偏向走査手段と、該偏向走査手段によって偏向走査された光の被照射体までの光路上に設けられるレンズとを収納する筐体を備え、前記偏向手段を前記筐体に固定するためのネジを止める前記筐体の外周面から突出させた複数のボス部で前記偏向手段の熱を装置外部へ放出する光走査装置において、各ボス部にリブを設けたことを特徴とするものである。
【発明の効果】
【０００９】
本発明によれば、ボス部から延設するリブを設けることで、ボス部の熱がリブに伝導し、リブから熱を放熱することができる。これにより、ボス部のみで偏向手段の熱を放熱する場合に比べて、放熱効率を高めることができ、装置内の温度上昇を良好に抑制することができる。
【図面の簡単な説明】
【００１０】
【図１】実施形態に係るプリンタの概略構成図。
【図２】同プリンタにおけるＹ用の作像ステーションを示す概略構成図。
【図３】同プリンタおける光書込ユニットを４つの感光体とともに示す概略構成図。
【図４】同光書込ユニットの構成を示す概略上面図。
【図５】同光書込ユニットの第１筐体の斜視図。
【図６】同第１筐体のポリゴンスキャナ配置側と反対側の概略斜視図。
【図７】同ポリゴンスキャナの構成を示す概略断面図。
【図８】同第１筐体のボス部の断面図。
【図９】同第１筐体のスキャナ取り付け部付近の拡大斜視図。
【図１０】同第１筐体を、載置面に載置させた状態を、走査レンズ側から見た図。
【図１１】同第１筐体のスキャナ取り付け部付近の拡大図。
【図１２】同第１筐体が、第２筐体に搭載された状態を示す斜視図。
【図１３】光走査装置の中央部付近の断面図。
【図１４】プリンタの本体フレームを示す斜視図。
【図１５】同本体フレームの前側板付近の拡大斜視図。
【図１６】光走査装置の中央部付近を、本体フレームの後側から見た図。
【図１７】シロッコファン付近の概略平面図
【発明を実施するための形態】
【００１１】
以下、本発明を、電子写真方式のカラーレーザープリンタ（以下、単にプリンタという）に適用した実施形態について説明する。
図１は、本実施形態に係るプリンタの概略構成図である。このプリンタは、筐体１と、この筐体１から引き出し可能な給紙カセット２とを備えている。筐体１の中央部には、イエロー（Ｙ）、シアン（Ｃ）、マゼンダ（Ｍ）、黒（Ｋ）の各色のトナー像（可視像）を形成するための作像ステーション３Ｙ，３Ｃ，３Ｍ，３Ｋを備えている。以下、各符号の添字Ｙ、Ｃ、Ｍ、Ｋは、それぞれイエロー、シアン、マゼンダ、黒用の部材であることを示す。
【００１２】
図２は、イエロー（Ｙ）用の作像ステーションを示す概略構成図である。なお、他の作像ステーションも同様の構成である。
図１及び図２に示すように、作像ステーション３Ｙ，３Ｃ，３Ｍ，３Ｋは、図中矢印Ａ方向に回転する潜像担持体としてのドラム状の感光体１０Ｙ，１０Ｃ，１０Ｍ，１０Ｋを備えている。感光体１０Ｙ，１０Ｃ，１０Ｍ，１０Ｋは、直径４０［ｍｍ］のアルミニウム製の円筒状基体と、その表面を覆う、例えばＯＰＣ（有機光半導体）感光層とから構成されている。各作像ステーション３Ｙ，３Ｃ，３Ｍ，３Ｋは、それぞれ、感光体１０Ｙ，１０Ｃ，１０Ｍ，１０Ｋの周囲に、感光体を帯電する帯電装置１１Ｙ，１１Ｃ，１１Ｍ，１１Ｋを備えている。また、感光体に形成された潜像を現像する現像手段としての現像装置１２Ｙ，１２Ｃ，１２Ｍ，１２Ｋ、感光体上の残留トナーをクリーニングするクリーニング装置１３Ｙ，１３Ｃ，１３Ｍ，１３Ｋも感光体の周囲に備えている。
【００１３】
各作像ステーション３Ｙ，３Ｃ，３Ｍ，３Ｋの下方には、感光体１０Ｙ，１０Ｃ，１０Ｍ，１０Ｋに対し、書込光Ｌによる光走査を行う光走査装置４を備えている。また、各作像ステーション３Ｙ，３Ｃ，３Ｍ，３Ｋの上方には、各作像ステーション３Ｙ，３Ｃ，３Ｍ，３Ｋによって形成されたトナー像が転写される中間転写ベルト２０を具備する中間転写ユニット５を備えている。また、中間転写ベルト２０に転写されたトナー像を転写体としての記録紙Ｐに定着せしめる定着ユニット６を備えている。また、筐体１の上部には、イエロー（Ｙ）、シアン（Ｃ）、マゼンタ（Ｍ）、黒（Ｋ）の各色のトナーを収容するトナーボトル７Ｙ，７Ｃ，７Ｍ，７Ｋが装填されている。このトナーボトル７Ｙ，７Ｃ，７Ｍ，７Ｋは、筐体１の上部に形成される排紙トレイ８を開くことにより、筐体１から脱着可能になっている。
【００１４】
光走査装置としての光走査装置４は光源を有しており、この光源から、回転駆動される正多角柱構造のポリゴンミラーに向けて光ビームとしての書込光Ｌを発射する。発射された書込光Ｌは、回転するポリゴンミラーの鏡面によって主走査方向に偏向せしめられながら反射する。そして、複数の反射鏡によって折り返された後、帯電装置１１Ｙ，１１Ｃ，１１Ｍ，１１Ｋによって一様帯電せしめられた感光体１０Ｙ，１０Ｃ，１０Ｍ，１０Ｋの周面を走査する。これにより、潜像担持体としての感光体１０Ｙ，１０Ｃ，１０Ｍ，１０Ｋの周面に、それぞれＹ，Ｃ，Ｍ，Ｋ用の静電潜像が形成される。なお、光走査装置４の詳しい説明は後述する。
【００１５】
転写手段たる中間転写ユニット５の中間転写ベルト２０は、駆動ローラ２１、テンションローラ２２及び従動ローラ２３に掛け回されながら、所定タイミングで図中反時計回り方向に回転駆動される。また、中間転写ユニット５は、感光体１０Ｙ，１０Ｃ，１０Ｍ，１０Ｋに形成されたトナー像を中間転写ベルト２０に１次転写する１次転写ローラ２４Ｙ，２４Ｃ，２４Ｍ，２４Ｋを備えている。また、中間転写ベルト２０上に１次転写されたトナー像を記録紙Ｐに転写する２次転写ローラ２５、記録紙Ｐ上に転写されなかった中間転写ベルト２０上の転写残トナーをクリーニングするベルトクリーニング装置２６も備えている。
【００１６】
次に、本プリンタにおいて、カラー画像を得る工程について説明する。
まず、作像ステーション３Ｙ，３Ｃ，３Ｍ，３Ｋにおいて、感光体１０Ｙ，１０Ｃ，１０Ｍ，１０Ｋが帯電装置１１Ｙ，１１Ｃ，１１Ｍ，１１Ｋによって一様に帯電される。その後、画像情報に基づいて生成された書込光Ｌによって走査露光されて、感光体１０Ｙ，１０Ｃ，１０Ｍ，１０Ｋの表面に静電潜像が形成される。これらの静電潜像は、現像装置１２Ｙ，１２Ｃ，１２Ｍ，１２Ｋの現像ローラ１５Ｙ，１５Ｃ，１５Ｍ，１５Ｋ上に担持された各色のトナーによって現像されて、Ｙ，Ｃ，Ｍ，Ｋトナー像となる。感光体１０Ｙ，１０Ｃ，１０Ｍ，１０Ｋ上のＹ，Ｃ，Ｍ，Ｋトナー像は、各１次転写ローラ２４Ｙ，２４Ｃ，２４Ｍ，２４Ｋの作用によって反時計回りに回転駆動する中間転写ベルト２０上に順次重ねて１次転写される。このときの各色の作像動作は、そのトナー像が中間転写ベルト２０上の同じ位置に重ねて転写されるように、中間転写ベルト２０の移動方向上流側から下流側に向けてタイミングをずらして実行される。
【００１７】
１次転写終了後の感光体１０Ｙ，１０Ｃ，１０Ｍ，１０Ｋは、クリーニング装置１３Ｙ，１３Ｃ，１３Ｍ，１３Ｋのクリーニングブレード１３ａによってその表面がクリーニングされて、次の画像形成に備えられる。
【００１８】
トナーボトル７Ｙ，７Ｃ，７Ｍ，７Ｋに充填されているトナーは、必要性に応じて図示しない搬送経路によって各作像ステーション３Ｙ，３Ｃ，３Ｍ，３Ｋの現像装置１２Ｙ，１２Ｃ，１２Ｍ，１２Ｋに所定量補給される。
【００１９】
一方、上記給紙カセット２内の記録紙Ｐは、給紙カセット２の近傍に配設された給紙ローラ２７によって、筐体１内に搬送され、レジストローラ対２８によって所定のタイミングで２次転写部に搬送される。そして、２次転写部において、中間転写ベルト２０上に形成されたトナー像が記録紙Ｐに転写される。トナー像が転写された記録紙Ｐは、定着ユニット６を通過することでトナー像が定着せしめられた後、排出ローラ２９によって排紙トレイ８に排出される。感光体１０と同様に、中間転写ベルト２０上に残った転写残のトナーは、中間転写ベルト２０に接触するベルトクリーニング装置２６によってクリーニングされる。
【００２０】
次に、光走査装置４の構成について説明する。
図３は、本実施形態に係るプリンタおける光走査装置４を、４つの感光体とともに示す概略構成図である。
図４は、光走査装置４の構成を示す概略上面図であり、図５は、第１筐体７０のポリゴンスキャナ配置側の概略斜視図であり、図６は、第１筐体７０のポリゴンスキャナ配置側と反対側の概略斜視図である。
図３に示すように、光走査装置４は、回転偏向器たるポリゴンスキャナ５０、各種の反射ミラー、各種のレンズ等の光学系部品を備えている。ポリゴンスキャナ５０、各種の反射ミラーや各種のレンズ等の光学系部品は、光学ハウジング１３１に収納される。光学ハウジング１３１の上方の開口部を覆う筐体カバー１０７には、防塵ガラス４８Ｙ，４８Ｃ，４８Ｍ，４８Ｋが設けられている。
ハウジング１３１は、図４に示すように、第１筐体７０と、第２筐体６０とで構成されている。第１筐体７０は、光源から走査レンズ４３Ｙ、４３Ｃ、４３Ｍ、４３Ｋまでの間の光路上に設けられた光学系部品を収納し、樹脂で構成されている。第２筐体６０は、走査レンズ４３Ｙ、４３Ｃ、４３Ｍ、４３Ｋから感光体までの間の光路上に設けられた光学素子を収納し、樹脂で構成されている。
【００２１】
図５に示すように、第１筐体７０の略中央にポリゴンスキャナ５０が取り付けられている。このポリゴンスキャナ５０の回転中心を通り、ポリゴンスキャナ５０の回転軸方向に対して直交するように引いた一本の対称線に関して、次の光学部品が線対称となるように配置されている。すなわち、光源部４００ａ，４００ｂ、コリメートレンズ５２、図示しないアパーチャ、シリンドリカルレンズ５３、走査レンズ４３Ｙ、４３Ｍ、４３Ｃ，４３Ｋなどである。
【００２２】
図５に示すように、ポリゴンスキャナ５０は、正多角柱形状からなる２つの回転多面鏡たるポリゴンミラー４１ａ、４１ｂと、不図示のポリゴンモータと、ポリゴンモータの駆動を制御するための電子部品を搭載した制御基板１５０とで構成されている。これらポリゴンミラー４１ａ，４１ｂは、その６つの側面に反射鏡を有しており、互いに正多角柱の中心を重ねるようにして上下方向に接続されている。ポリゴンスキャナ５０は、第１筐体７０の防音壁５５で囲ったポリゴンスキャナ取り付け部にネジ１５１によって締結されている。防音壁５５の２箇所には切り欠きが設けられており、その切り欠きに防音ガラス４２ａ、４２ｂが両面テープにより固定されている。
【００２３】
光源部４００ａ，４００ｂは、第１筐体７０の側面に取り付けられている。光源部４００ａは、Ｋ色用の光源４６Ｋと、Ｍ色用の光源４６Ｍと、これら光源を制御する光源制御基板４０１ａとを備えており、光源４６Ｋと、光源４６Ｍは、上下に並べて光源制御基板４０１に実装されている。また、光源部４００ｂは、Ｙ色用の光源４６Ｙと、Ｃ色用の光源４６Ｃと、これら光源を制御する光源制御基板４０１ｂとを備えており、光源４６Ｋと、光源４６Ｍは、上下に並べて光源制御基板４０１ｂに実装されている。
【００２４】
Ｋ色のコリメートレンズ５２Ｋ、シリンドリカルレンズ５３Ｋは、第１台座７０１ａの上面に取り付けられている。また、Ｙ色のコリメートレンズ５２Ｙ、シリンドリカルレンズ５３Ｙは、第２台座７０１ｂの上面に取り付けられている。また、図６に示すように、Ｍ色のコリメートレンズ５２Ｍ、Ｍ色のシリンドリカルレンズ５３Ｍは、第１台座７０１ａの裏面に取り付けられている。また、Ｃ色のコリメートレンズ５２Ｃ、Ｃ色のシリンドリカルレンズ５３Ｃは、第２台座７０１ｂの裏面に取り付けられている。
【００２５】
また、Ｋ色の走査レンズ４３Ｋは、Ｍ色の走査レンズの真上に設けられており、Ｙ色の走査レンズ４３Ｙは、Ｃ色の走査レンズの真上に設けられている。走査レンズ４３Ｙ、４３Ｍ、４３Ｃ，４３Ｋは、ポリゴンミラー４１ａ，４１ｂによりレーザ走査の等角度運動を等速直線運動へと変えるとともに、副走査方向にパワーを持ち（副走査方向に光を集光）、ポリゴンミラーの面倒れ補正を行う光学素子である。
【００２６】
図３に示すように、ポリゴンスキャナ５０の図中右側には、Ｍ用の光学系と、Ｋ用の光学系とが配設されている。ポリゴンスキャナ５０の図中左側には、Ｙ用の光学系と、Ｃ用の光学系とが配設されている。
【００２７】
また、図４に示すように、第１筐体７０は、ポリゴンスキャナ５０が、光走査装置４の略中央にくるように、第２筐体６０の略中央に取り付けられる。また、図３に示すように、蓋部材としての筐体カバー１０７の中央部は、開口しており、開口部からポリゴンスキャナ５０側に延びて、下端が、防音ガラス４２ａ，４２ｂの上面と防音壁５５の上面と当接する内壁部１０６が形成されている。そして、この筐体カバー１０７の開口部を覆うようにして蓋部材たる偏向器カバー１０５が取り付けられている。これにより、ポリゴンスキャナ５０は、ハウジング１３１の底面、防音ガラス４２ａ、４２ｂ、防音壁５５、内壁部１０６、偏向器カバー１０５とにより密閉される。ポリゴンスキャナを開放した状態で長期間動作させると、雰囲気中の微粒子がポリゴンミラー４１ａ，４１ｂに付着して、ミラー反射率を低下させてしまうおそれがある。本実施形態のように、ポリゴンスキャナ５０を密閉することにより、ポリゴンミラー４１ａ，４１ｂに微粒子が付着するのを抑制することができる。また、ポリゴンスキャナ５０を密閉することにより、騒音の防止、走査レンズ４３Ｙ、４３Ｍ、４３Ｃ，４３Ｋへのポリゴンスキャナの熱の影響を抑制することができる。
【００２８】
レーザダイオードなどの各光源４６Ｙ，Ｃ，Ｍ，Ｋから出射された書込光Ｌｙ，Ｌｃ，Ｌｍ，Ｌｋは、コリメートレンズ５２Ｙ，Ｍ，Ｃ，Ｋにより発散光束が平行光束に変換される。次に、シリンドリカルレンズ５３Ｙ，Ｍ，Ｃ，Ｋを透過することで、副走査方向（感光体表面上における感光体表面移動方向に相当する方向）に集光せしめられる。次いで、不図示のポリゴンモータによって高速回転される正六面体構造のポリゴンミラー４１ａ，４１ｂにおける６つの側面にそれぞれ形成された鏡面のうち、何れかで反射しながら主走査方向（感光体表面上における軸線方向に相当する方向）に偏向せしめられる。次に、走査レンズ４３Ｙ，Ｍ，Ｃ，Ｋによって、ポリゴンミラー４１ａ，４１ｂによって一定の角速度で主走査方向に偏向せしめられる光の偏向方向の移動速度を等速に変換される。また、副走査方向に集光して、ポリゴンミラー４１ａ，４１ｂの鏡面の倒れである所謂面倒れが補正される。
【００２９】
走査レンズ４３Ｙ，Ｍ，Ｃ，Ｋを透過したＹ，Ｃ，Ｍ，Ｋ用の書込光Ｌｙ，Ｌｃ，Ｌｍ，Ｌｋは、Ｙ，Ｃ，Ｍ，Ｋ用の反射光学系の各反射ミラーに向かう。例えば、走査レンズ４３Ｙを透過したＹ用の書込光Ｌｙは、第１反射ミラー４４Ｙ、第２反射ミラー４５Ｙに反射することで、Ｙ用の感光体１０Ｙの表面に導かれていく。Ｃ，Ｍ，Ｋ用のレーザ光Ｌｃ，Ｌｍ，Ｌｋも同様にしてそれぞれ第１反射ミラー、第２反射ミラーに反射されることで、Ｃ，Ｍ，Ｋ用の感光体１０Ｃ，Ｍ，Ｋの表面に導かれていく。なお、第２反射ミラー４５Ｙ，Ｃ，Ｍ，Ｋの鏡面で反射したＹ，Ｃ，Ｍ，Ｋ用の書込光Ｌｙ，Ｌｃ，Ｌｍ，Ｌｋは、筐体カバー１０７に設けられた防塵ガラス４８Ｙ，４８Ｃ，４８Ｍ，４８Ｋを透過した後、感光体１０Ｙ，Ｍ，Ｃ，Ｋの表面に到達する。
【００３０】
次に、偏向走査手段であるポリゴンスキャナについて説明する。
図７は、ポリゴンスキャナ５０の構成を示す概略断面図である。
図に示すように、ポリゴンスキャナ５０は、回転多面鏡であるポリゴンミラー４１ａ、４１ｂと、ポリゴンモータ１６０と、ポリゴンモータ１６０の駆動を制御するための図示しない電子制御部品を搭載した制御基板１５０とで構成されている。
ポリゴンモータ１６０は、ポリゴンミラー４１ａ、４１ｂを備え、アルミニウムからなる筒状のミラーロータ１６１を有している。このミラーロータ１６１は、回転軸１６２に固定されている。ミラーロータ１６１の内周面には、ロータマグネット１６３が設けられている。ミラーロータ１６１の内部には、コア部材１６４ｂにコイル１６４ａを巻きつけたステータ１６４が設けられている。ステータ１６４は、ロータマグネット１６３と対向する位置に配設されており、軸受部１６８を介して回転軸１６２に回転自在に固定されている。軸受部１６８は、筒状の軸受ホルダ１６８ａと、シールワッシャー１６８ｃにより軸受ホルダ１６８ａ内に内封された潤滑オイル１６８ｂとを有している。また、軸受ホルダ１６８ａの底部には、スラスト軸受１６８ｄが設けられている。軸受ホルダ１６８ａの内部に回転軸１６２が挿入されており、回転軸１６２は、スラスト軸受１６８ｄに回転自在に固定されている。ポリゴンモータ１６０の軸受部１６８の軸受ホルダ１６８ａが、コネクタ１５２を備えた制御基板１５０に固定されている。コネクタ１５２には、図示しない装置本体の電源ユニットに接続されたハーネスが取り付けられ、このコネクタ１５２を介してポリゴンモータ１６０に電力が供給される。制御基板１５０は、鉄やアルミなど鋼板の表面に絶縁層を形成し、絶縁層上に銅箔による回路パターンが形成された所謂メタル基板を用いている。
【００３１】
ポリゴンモータ１６０は、書込光を偏向走査する際、高速で回転するため、潤滑オイル１６８ｂが摩擦で発熱して、軸受部１６８が発熱する。また、制御基板１５０上の図示しない電子制御部品も発熱する。発熱部たるポリゴンモータの軸受部１６８や制御基板上の電子制御部品の発熱によって、光走査装置内が高温となる。その結果、レンズやミラーなどの光学系の部品が熱変形して、倍率偏差などが発生し、画像を劣化させる不具合を生じるおそれがある。このため、光走査装置内が高温とならないように、ポリゴンスキャナ５０の発熱部で発生した熱を光走査装置の外部へ効率よく逃がす必要がある。
そこで、本実施形態においては、ポリゴンスキャナ５０を固定するネジを止めるボス部を、装置外部へ露出させ、ボス部で放熱するように構成している。
【００３２】
先の図６に示すように、第１筐体７０には、ポリゴンスキャナ５０が取り付けられるスキャナ取り付け部７１０が設けられている。このスキャナ取り付け部７１０は、四角形状であり、このスキャナ取り付け部７１０の角に、ポリゴンスキャナ５０を固定するためネジ１５０を止めるボス部７１１ａ，７１１ｂ，７１１ｃ，７１１ｄがそれぞれ設けられている。これらボス部７１１ａ，７１１ｂ，７１１ｃ，７１１ｄは、第１筐体７０の裏面（ポリゴンスキャナ配置面とは反対側）から突出している。
【００３３】
図８は、ボス部７１１ｂの断面図である。
ボス部７１１ｂは、円筒形状を有しており、内周面のポリゴンスキャナ側には、ネジ１５１を噛み合わせるためのネジ溝が形成されている。
【００３４】
図９は、第１筐体７０のスキャナ取り付け部７１０付近の拡大斜視図である。
図９に示すように、本実施形態においては、図９の矢印Ｂ方向にポリゴンスキャナ５０を冷却するための冷却空気を流している。この冷却空気の流れ方向に沿って、ボス部がリブ７１２により連結されている。すなわち、ボス部７１１ａとボス部７１１ｂとがリブ７１２で連結されており、ボス部７１１ｃとボス部７１１ｄとがリブ７１２で連結されている。また、ボス部７１１ａ、７１１ｃから、空気の流れ方向上流側に向かうようにリブ７１２が設けられている。各リブ７１２の第１筐体７０裏面からの高さは、各ボス部７１１ａ，７１１ｂ，７１１ｃ，７１１ｄの第１筐体７０裏面からの高さと同じとなっている。このように、本実施形態においては、リブ７１２により、冷却空気を流す流路が形成される。
【００３５】
図１０は、第１筐体７０を、載置面Ｓに載置させた状態を、走査レンズ側から見た図である。
工場において、第１筐体７０を、第２筐体６０に組み付けるときなど、第１筐体７０を、載置面Ｓに載置する場合がある。上下に２個の光源４６が実装される関係で、光源制御基板４０１の上下方向は、第１筐体７０の側面よりも長い。従って、従来、第１筐体７０を載置したとき、光源制御基板４０１が、載置面Ｓに接触し、光源制御基板４０１が第１筐体７０の重みを支えるようになっていた。その結果、光源制御基板４０１が変形するおそれがあった。また、光源制御基板４０１に実装されている光源４６が正規の位置に対してずれて、光学特性不良が生じるおそれがあった。さらに、光源が光源制御基板にハンダで接続されている場合、光源が、第１筐体の光源取り付け孔に挿入されて取り付けられている関係から、光源と光源制御基板との間に応力が集中する。その結果、ハンダが外れて、光源４６と光源制御基板４０１との接触不良が生じる懸念もあった。
【００３６】
一方、本実施形態においては、各ボス部７１１ａ，７１１ｂ，７１１ｃ，７１１ｄおよびリブ７１２は、第１筐体７０の側面に取り付けられる光源制御基板４０１よりも、下側へ突出させている。これにより、第１筐体７０を載置面に載置したとき、ボス部７１１ａ，７１１ｂ，７１１ｃ，７１１ｄおよびリブ７１２のみが、載置面に接触する。すなわち、ボス部７１１ａ，７１１ｂ，７１１ｃ，７１１ｄおよびリブ７１２が、第１筐体７０を支える台座として機能するのである。これにより、光源制御基板４０１が載置面に接触しないので、光源制御基板４０１に第１筐体７０の重量が加わることがない。従って、光源制御基板の変形や、光源の位置ずれ、光源と光源制御基板との接触不良が生じるのを抑制することができる。
【００３７】
図１１は、第１筐体７０のスキャナ取り付け部７１０付近の拡大図である。
図１１に示すように、ポリゴンスキャナ５０の制御基板と対向するスキャナ取り付け部７１０には、複数の貫通孔７１４が形成されている。また、スキャナ取り付け部７１０の略中央部には、ポリゴンスキャナの軸受部１６８が嵌る嵌合孔７１３が形成されている。この嵌合孔７１３も貫通孔となっている。この嵌合孔７１３にポリゴンスキャナ５０の軸受部１６８を挿入してポリゴンスキャナ５０の位置決めが行われる。
【００３８】
ポリゴンスキャナ５０が第１筐体７０に取り付けられると、上記貫通孔７１４からポリゴンスキャナの制御基板１５０が外部に露出し、嵌合孔７１３からポリゴンスキャナの軸受部が露出する。
【００３９】
図１２は、第１筐体７０が、第２筐体６０に搭載された状態を示す斜視図である。
第１筐体７０は、第２筐体６０に対して、４箇所、ネジにより第２筐体６０の略中央部に固定される。第２筐体６０の中央部には貫通孔６１が形成されており、第１筐体７０が第２筐体６０に固定されると、上記貫通孔６１から第１筐体７０のスキャナ取り付け部７１０付近が露出する。また、第２筐体６０には、上記貫通孔６１に接続するように形成された凹形状部６２が設けられている。この凹形状部６２は、第１筐体７０のリブ７１２が延びる方向と、同方向に延びている。また、第２筐体６０の中央部付近には、カバー部材６３が取り付けられており、貫通孔６１の一部を覆っている。このカバー部材６３により、第１筐体７０のスキャナ取り付け部７１０のみ、貫通孔６１から外部へ露出するようにしている。
【００４０】
図１３は、光走査装置の中央部付近の断面図である。第２筐体６０と第１筐体７０の間には隙間ができるので、その間にシール部材６４を配置して、隙間を塞いでいる。これにより、第１筐体７０と第２筐体６０との隙間から塵や埃が進入する防止することができる。
【００４１】
先の図１２に示すように、後述する送風手段としてのファン（図１７参照）により、図中左側から、第２筐体６０の凹形状部６２に冷却空気が送られる。凹形状部６２に送られた冷却空気は、凹形状部６２に案内されて、第２筐体６０から露出する第１筐体７０のスキャナ取り付け部７１０へ流れる。先の図９に示すように、スキャナ取り付け部７１０に流れ込んだ冷却空気は、リブ７１２により形成された流路に沿って移動していく。このように、凹形状部６２を設けることで、ダクトを設けずとも、冷却空気を効率的にスキャナ取り付け部７１０に流すことができる。これにより、ダクトを設ける場合に比べて、部品コストを低減することができ、装置を安価にすることができる。
【００４２】
ポリゴンスキャナ５０の制御基板１５０は、上述したように基板が金属製のメタル基板である。また、ポリゴンスキャナを第１筐体７０に固定するネジも金属製であり、ネジ１５１は、制御基板１５０に接触している。従って、ポリゴンスキャナの軸受部１６８や電子制御部品の熱は、制御基板１５０からネジ１５１に伝導する。このため、ネジ１５１が噛み合うボス部７１１ａ〜７１１ｄは、第１筐体７０の他の部分よりも温度上昇しやすい。従って、これらボス部７１１ａ〜７１１ｄを装置から露出することにより、ポリゴンスキャナ５０の各発熱部からの熱を効率よく放熱することができる。そして、この露出したボス部７１１ａ〜７１１ｄに冷却空気を当てることで、各ボス部７１１ａ，７１１ｂが冷却され、効率よくボス部７１１ａ〜７１１ｄによりポリゴンスキャナ５０の熱を放熱することができる。
【００４３】
また、本実施形態においては、リブ７１２で各ボス部を繋いで流路を形成している。このようなリブ７１２がない場合、ボス部７１１ａと、ボス部７１１ｂとの間から流出する空気が存在し、下流側のボス部７１１ｂに到達する空気の流量が低下するおそれがある。一方、本実施形態においては、ボス部７１１ａとボス部７１１ｂとの間にリブ７１２を設けることで、ボス部７１１ａとボス部７１１ｂとの間から空気が流出するのを抑制することができる。これにより、下流側のボス部７１１ｂを良好に冷却することができる。また、同様に、ボス部７１１ｃとボス部７１１ｄとの間もリブ７１２で繋いでいる。よって、ボス部７１１ｃとボス部７１１ｄとの間から流出する空気を、リブ７１２で堰き止めることができ、ボス部７１１ｄに流れる空気の流量低下を抑制することができる。また、スキャナ取り付け部７１０での冷却空気を流す流路を形成するためのリブ７１２を、ボス部に繋げることで、ボス部の熱がリブ７１２に伝わり、リブ７１２からもポリゴンスキャナ５０の熱が放熱される。しかも、このリブは、冷却空気の流れに沿って設けられているので、冷却空気によりリブ７１２が効率よく冷却される。これにより、効率よくポリゴンスキャナ５０の熱を放熱することができる。
【００４４】
また、本実施形態においては、リブの高さを、ボス部と同じ高さとすることで、ボス部間から流出する空気を、良好に抑制することができ、空気の流れ方向下流側のボス部７１１ｂに７１１ｄの流入する流量の低下を良好に抑制することができる。
【００４５】
また、本実施形態においては、ポリゴンスキャナの軸受部１６８の下面が、嵌合孔７１３から外部へ露出している。これにより、軸受部１６８の熱の一部が、直接、装置外部へ放熱される。また、制御基板１５０の一部も、貫通孔７１４から外部へ露出している。これにより、制御基板１５０の熱の一部が、直接、装置外部へ放熱される。その結果、装置内部の温度上昇を良好に抑制することができる。また、本実施形態においては、図９に示すように、リブ７１２により、貫通孔７１４および嵌合孔７１の図中上空を空気が流れる。これにより、制御基板１５０の貫通孔７１４から露出する部分や軸受部１６８の嵌合孔７１３から露出する部分を冷却空気によって冷すことができる。
【００４６】
このように、本実施形態においては、第１筐体７０および第２筐体６０の形状により、良好により、ポリゴンスキャナの熱を外部へ逃がすことができる。これにより、ヒートシンクなどの別部材の放熱手段を設けて、ポリゴンスキャナ５０の熱を放熱する場合に比べて、装置を安価にすることができる。
【００４７】
図１４は、プリンタの本体フレームを示す斜視図である。
図１４に示すように、本体フレーム１００は、前側板１１１と後側板１１２とを有している。また、前側板１１１と、後側板１１２の左右両端部付近は、水平ステー１１４ａ，１１４ｂが取り付けられており、これら水平ステー１１４ａ，１１４ｂに画像形成部と給紙部と仕切る仕切り板１１３が取り付けられている。なお、画像形成部とは、光走査装置４、各作像ステーション３Ｙ，３Ｃ，３Ｍ，３Ｋ、中間転写ユニット５、定着ユニット６などを備え記録紙Ｐに画像を形成するための部分である。給紙部は、給紙カセット２を備え、画像形成部に記録紙を搬送するための部分である。
【００４８】
前側板１１１には、送風手段としてのシロッコファン１２０が取り付けられている。また、後側板１１２には、現像装置１２Ｙ，Ｍ，Ｃ，Ｋを冷却した後の空気が、流れ込む排気ダクト１２２Ｙ，Ｍ，Ｃ，Ｋが設けられている。これら、排気ダクト１２２Ｙ，Ｍ，Ｃ，Ｋは、後側板１１２に設けられた共通排気ダクト１２３に接続されており、共通排気ダクトの排気口１２３ａから、現像装置を冷却した後の空気が機外へ排気される。
【００４９】
光走査装置４は、先の図１２に示した凹形状部６２が形成された面が、仕切り板１１３と対向するように、上記仕切り板１１３の真上に配置される。
【００５０】
図１５は、前側板１１１付近の拡大斜視図である。
図１５に示すように、前側板１１１には、シロッコファン１２０により取り込んだ空気を光走査装置４の凹形状部６２へ流す流出口１１１ａが形成されている。図１６に示すように、流出口１１１ａは、凹形状部６２の延長線上に設けられている。
【００５１】
また、先の図１４に示すように、Ｋ色の排気ダクト１２２Ｋの光走査装置４の凹形状部６２と対向する箇所には、光走査装置のボス部７１１ａ〜７１１ｄおよびリブ７１２を冷却した後の空気が流入する流入口１２２ａが設けられている。この流入口１２２ａは、流出口１１１ａと対向するように設けられており、凹形状部６２の延長線上に設けられている。
【００５２】
図１７は、シロッコファン１２０付近の概略平面図である。
図１７に示すように、シロッコファン１２０は、上面が吸気面１２０ａとなっており、図中左側に排気口１２０ｂを有している。排気口１２０ｂには、送風ダクト１２１が設けられており、送風ダクト１２１は、第１ダクト部１２１ａと、第２ダクト部１２１ｂとを有している。第１ダクト部１２１ａは、前側板１１１の流出口１１１ａに接続されている。第２ダクト部１２１ｂは、各色の現像装置１２Ｙ，Ｍ，Ｃ，Ｋを冷却するための不図示の現像装置冷却用ダクトに接続されている。
【００５３】
このように、本実施形態においては、ひとつのファンで、光走査装置４のポリゴンスキャナ５０を冷却するためのファンと、現像装置を冷却するためのファンとを兼ねている。従って、現像装置冷却用のファンと、ポリゴンスキャナ５０冷却用のファンとをそれぞれ設ける場合に比べて、部品点数を削減することができ、装置を安価にすることができる。
【００５４】
シロッコファン１２０により吸気された空気は、第１ダクト部１２１ａを通って、流出口１１１ａから、先の図１６に示すように、凹形状部６２と仕切り板１１３とで囲われた空間に流れ込む。この空間に流れ込んだ空気はこの空間内を移動して、ボス部７１１ａ〜７１１ｄ、リブ７１２から熱を奪った後、先の図１４に示したＫ色の排気ダクト１２２に設けられた流入口１２２ａへ流入する。そして、Ｋ色の排気ダクト１２２Ｋ内のＫ色の現像装置を冷却した後の空気とともに、共通排気ダクト１２３へ移動し、共通排気ダクト１２３の排気口１２３ａから機外へ排出される。
【００５５】
このように、本実施形態においては、凹形状部６２と仕切り板１１３とで囲われた空間にポリゴンスキャナ５０冷却用の空気が流れるので、空気が、図中下方へ流出するのを防止することができる。これにより、ボス部７１１ａ〜７１１ｄやリブ７１２に送る空気の流量低下を抑制することができ、良好にボス部７１１ａ〜７１１ｄやリブ７１２を冷却することができる。また、ボス部７１１ａ〜７１１ｄやリブ７１２から熱奪って温度上昇した空気が、流出するのを抑制することができる。これにより、ボス部７１１ａ〜７１１ｄやリブ７１２から熱奪って温度上昇した空気が、装置内部の温度上昇させたくない部材に当たってその部材を温度上昇させてしまうのを抑制することができる。
【００５６】
このように、本実施形態においては、光走査装置４の筐体６０の形状と、仕切り板１１３とで、ポリゴンスキャナ５０冷却用の空気を良好にボス部７１１ａ〜７１１ｄやリブ７１２に送ることができる。これにより、ボス部７１１ａ〜７１１ｄやリブ７１２にポリゴンスキャナ５０冷却用の空気を送るためのダクトが不要となり、装置を安価にすることができる。また、冷却後の空気を、流入口１２２ａへ送るためのダクトも不要でき、さらに、装置を安価にすることができる。
【００５７】
また、例えば、凹形状部６２の縁に仕切り板１１３と接触するシール部材を設けて、矩形状のダクト形状としてもよい。このようにすることで、筐体と仕切り板１１３との間の空間から、ポリゴンスキャナ５０冷却用空気が流出するのを防止することができる。
【００５８】
以上に説明したものは一例であり、本発明は、以下の態様毎に特有の効果を奏する。
（態様１）
光を発生させる光源部４００と、光源部４００が発生させた光を感光体１０などの被照射体表面に対して主走査方向に偏向走査するポリゴンスキャナ５０などの偏向走査手段と、偏向走査手段によって偏向走査された光の被照射体までの光路上に設けられるレンズとを収納する光学ハウジング１３１などの筐体を備え、偏向手段を筐体に固定するためのネジ１５１を止める筐体の外周面から突出させた複数のボス部７１１ａ〜７１１ｄで偏向手段の熱を装置外部へ放出する光走査装置４において、各ボス部７１１ａ〜７１１ｄにリブ７１２を設けた。
かかる構成を備えることで、実施形態で説明したように、ボス部のみで偏向手段の熱を放熱する場合に比べて、放熱効率を高めることができ、装置内の温度上昇を良好に抑制することができる。
【００５９】
（態様２）
（態様１）において、各ボス部７１１ａ〜７１１ｄのリブ７１２は、各ボス部７１１ａ，７１１ｄに流れる空気の流れ方向に沿って延びるように形成した。
かかる構成を備えることで、実施形態で説明したように、リブ７１２により暖められた空気を良好に移動させることができ、空気によりリブ７１２を効率よく冷却することができる。これにより、効率よくポリゴンスキャナ５０の熱を放熱することができる。
【００６０】
（態様３）
また、（態様２）において、複数のリブ７１２のうち、空気の流れ方向上流側に配置されたボス部７１１ａと、空気の流れ方向下流側に配置されたボス部７１１ｂとをリブ７１２で繋いで、流路を形成した。
かかる構成を備えることで、実施形態で説明したように、ボス部間で空気が流出するのを抑制することができ、下流側のボス部７１１ｂに到達する空気の流量が低下するのを抑制することができる。これにより、下流側のボス部７１１ｂも良好に冷却することができる。
【００６１】
（態様４）
（態様３）において、７１２リブの筐体外周面からの高さを、ボス部の筐体外周面からの高さと同じにした。
かかる構成とすることで、実施形態で説明したように、ボス部間で空気が流出するのを良好に抑制することができる。
【００６２】
（態様５）
（態様１）乃至（態様４）いずれかにおいて、筐体のポリゴンスキャナ５０などの偏向走査手段と対向する箇所に貫通孔７１４を設けた。
かかる構成とすることで、実施形態で説明したように、貫通孔を介して、直接、装置外部へ、ポリゴンスキャナ５０などの偏向手段の熱を放出することができる。これにより、装置内部の温度上昇を抑制することができる。
【００６３】
（態様６）
（態様５）において、ポリゴンスキャナ５０などの偏向手段は、ポリゴンミラー４１ａ，４１ｂなどの回転多面鏡と、回転多面鏡を駆動するポリゴンモータ１６０などの駆動源と、駆動源を制御する制御基板１５０とを備えており、偏向手段の制御基板１５０を、貫通孔７１４から露出させた。
実施形態で説明したように、制御基板には、発熱する電子制御部品などが搭載されているため、温度が上昇しやすい。従って、制御基板の熱を装置外へ放出することで、装置内部の温度上昇を良好に抑制することができる。
【００６４】
（態様７）
（態様１）乃至（態様６）のいずれかにおいて、筐体を、載置面Ｓに載置したとき、複数のボス部７１１ａ〜７１１ｄが載置面Ｓに接触して装置本体を支える。
かかる構成を備えることで、実施形態で説明したように、製造工程にて光源制御基板４０１に余計な外力が加わるのを抑制することができる。これにより、光学特性を良好に維持することができる。
【００６５】
（態様８）
また、（態様１）乃至（態様７）いずれかにおいて、光学ハウジング１３１などの筐体は、少なくとも光源部４００とポリゴンスキャナ５０などの偏向走査手段とを収納する第１筐体７０と、その他の光学部品と、第１筐体７０とを収納する第２筐体６０とを有し、第１筐体７０に複数のボス部７１１ａ〜７１１ｄおよびリブ７１２が形成されており、第２筐体６０に複数のボス部７１１ａ〜７１１ｄおよびリブ７１２を露出させるための貫通孔６１を設けるとともに、第２筐体６０の外周面に貫通孔６１に接続し、複数のボス部７１１ａ〜７１１ｄに向かって流れる空気を案内する凹形状部６２などの凹部を設けた。
かかる構成を備えることで、第１筐体７０のボス部７１１ａ〜７１１ｄおよびリブ７１２を貫通孔６１から装置外部へ露出させることができる。また、ダクトなどを設けずとも、露出したボス部７１１ａ〜７１１ｄおよびリブ７１２に空気を送り込むことができる。これにより、部品点数を削減することができ、装置を安価にすることができる。
【００６６】
（態様９）
（態様８）において、第１筐体７０と第２筐体６０との隙間をシールするシール部材６４を備えた。
かかる構成を備えることで、実施形態で説明したように、第１筐体７０と第２筐体６０との隙間から塵や埃が進入する防止することができる。
【００６７】
（態様１０）
画像情報に応じた走査光で光走査装置４により感光体１０を走査して該感光体１０上に潜像を形成し、該潜像を現像することにより得た画像を最終的に記録材上に転移させて該記録材上に画像を形成する画像形成装置において、光走査装置４として、（態様１）乃至（態様９）いずれかの光走査装置を用いた。
かかる構成を備えることで、高品質な画像を得ることができる。
【００６８】
（態様１１）
また、光走査装置４の光学ハウジング１３１の筐体には、複数のボス部７１１ａ〜７１１ｄおよびリブ７１２が形成された箇所に接続し、複数のボス部７１１ａ〜７１１ｄに向かって流れる空気を案内する凹形状部６２などの凹部を有し、凹部の直下に光走査装置４と、光走査装置の下方に配置される給紙部などの装置とを仕切る仕切り板１１３を配置した。
かかる構成とすることで、実施形態で説明したように、ボス部７１１ａ〜７１１ｄやリブ７１２に送る空気の流量低下を抑制することができ、良好にボス部７１１ａ〜７１１ｄやリブ７１２を冷却することができる。
【００６９】
（態様１２）
また、（態様１０）または（態様１１）において、複数のボス部７１１ａ〜７１１ｄと、ボス部７１１ａ〜７１１ｄとは別の現像装置１２などの画像形成装置内部の冷却対象とに空気を送風するシロッコファン１２０などの送風手段を備えた。
かかる構成を備えることで、実施形態で説明したように、ボス部７１１ａ〜７１１ｄ冷却用のファンと、現像装置１２などの画像形成装置内部の冷却対象を冷却するためのファンとを別々に設ける場合に比べて、装置を安価にすることができる。
【符号の説明】
【００７０】
４：光走査装置
１０：感光体
１２：現像装置
４１ａ，４１ｂ：ポリゴンミラー
４３：走査レンズ
４６：光源
５０：ポリゴンスキャナ
５２：コリメートレンズ
５３：シリンドリカルレンズ
６０：第２筐体
６１：貫通孔
６２：凹形状部
６３：カバー部材
６４：シール部材
７０：第１筐体
７１：嵌合孔
１００：本体フレーム
１１１：前側板
１１１ａ：流出口
１１２：後側板
１１３：仕切り板
１２０：シロッコファン
１２１：送風ダクト
１２１ａ：第１ダクト部
１２１ｂ：第２ダクト部
１２２：排気ダクト
１２２ａ：流入口
１２３：共通排気ダクト
１２３ａ：排気口
１３１：光学ハウジング
１５０：制御基板
１５１：ネジ
１６０：ポリゴンモータ
１６８：軸受部
４００ａ，４００ｂ：光源部
４０１ａ，４０１ｂ：光源制御基板
７０１ａ：第１台座
７０１ｂ：第２台座
７１０：スキャナ取り付け部
７１１ａ，７１１ｂ，７１１ｃ，７１１ｄ：ボス部
７１２：リブ
７１３：嵌合孔
７１４：貫通孔
７１４ 貫通孔
Ｓ：載置面
【先行技術文献】
【特許文献】
【００７１】
【特許文献１】特開２００６−２７０１１号公報
【図１】
2014178377.tif 000003
【図２】
2014178377.tif 000004
【図３】
2014178377.tif 000005
【図４】
2014178377.tif 000006
【図５】
2014178377.tif 000007
【図６】
2014178377.tif 000008
【図７】
2014178377.tif 000009
【図８】
2014178377.tif 000010
【図９】
2014178377.tif 000011
【図１０】
2014178377.tif 000012
【図１１】
2014178377.tif 000013
【図１２】
2014178377.tif 000014
【図１３】
2014178377.tif 000015
【図１４】
2014178377.tif 000016
【図１５】
2014178377.tif 000017
【図１６】
2014178377.tif 000018
【図１７】
2014178377.tif 000019